(57)【要約】【課題】少ない洗浄水でサイホン作用を発生し、汚物等を良好に排出することができる便器排水路を提供する。【解決手段】便器排水路２０は、水洗式便器の便鉢部１１の下部に連通して上方に延びる上昇流路１２の下流側に連通している。便器排水路２０は、上昇流路１２の下流側に連続して下方に延びる下降流路２１と、この下降流路２１の下流側に連続しており、流路方向を下向きから横向きに変更する屈曲流路２２と、この屈曲流路２２の下流側に連続して横方向に延びる横引き流路２３と、屈曲流路２２を形成する下側の内壁面２２Ｄ又は横引き流路２３を形成する下側の内壁面２３Ｄに設け、衝突した洗浄水が飛散して水膜を形成する段部２６とを備えている。【選択図】図１
2014095206.tif 000002
【特許請求の範囲】
【請求項１】
水洗式便器の便鉢部の下部に連通して上方に延びる上昇流路の下流側に連通した便器排水路であって、
前記上昇流路の下流側に連続して下方に延びる下降流路と、
この下降流路の下流側に連続しており、流路方向を下向きから横向きに変更する屈曲流路と、
この屈曲流路の下流側に連続して横方向に延びる横引き流路と、
前記屈曲流路を形成する下側の内壁面又は前記横引き流路を形成する下側の内壁面に設け、衝突した洗浄水が飛散して水膜を形成する段部とを備えていることを特徴とする便器排水路。
【請求項２】
前記屈曲流路を形成する下側の内壁面は円弧形状であることを特徴とする請求項１記載の便器排水路。
【請求項３】
前記屈曲流路は、この屈曲流路を形成する下側の内壁面を沿って洗浄水が流れるように、この内壁面が流路方向になだらかに湾曲していることを特徴とする請求項１又は２記載の便器排水路。
【請求項４】
前記段部は前記横引き流路を形成する下側の内壁面を凹ませて形成したことを特徴とする請求項１乃至３のいずれか１項記載の便器排水路。
【請求項５】
前記段部は前記横引き流路を形成する下側の内壁面又は屈曲流路を形成する下側の内壁面を突出させて形成したことを特徴とする請求項１乃至３のいずれか１項記載の便器排水路。
【請求項６】
前記屈曲流路と前記横引き流路との境界部を形成する上側の内壁面が下方に突出して流路を絞った絞り部を備えており、この絞り部の下流側に前記段部を形成したことを特徴とする請求項１乃至５のいずれか１項記載の便器排水路。
【発明の詳細な説明】
【技術分野】
【０００１】
本発明は便器排水路に関する。
【背景技術】
【０００２】
特許文献１は従来の便器排水路を開示している。この便器排水路は水洗式便器の便鉢部の下部に連通して上方に延びる上昇流路の下流側に連通している。この便器排水路は上昇流路の下流側に連続して下方に延びる下降流路と、この下降流路の下流側に連続しており、流路方向を下向きから横向きに変更する屈曲流路と、この屈曲流路の下流側に連続して横方向に延びる横引き流路とを備えている。この便器排水路は屈曲流路を形成する下側の内壁面を略水平な平坦面に形成している。
【０００３】
この便器排水路は、上昇流路と下降流路との境界部である便器排水路の頂部を勢いよく洗浄水が越流すると、下降流路を形成する上昇流路側の内壁面から剥がれるようにして下降流路を流れ落ち、屈曲流路の平坦な下面に直接的に衝突して斜め上方に跳ね上がる。このようにして、この便器排水路は、便器排水路を封鎖する水膜を形成することができ、サイホン作用を発生して、汚物等を排出することができる。
【先行技術文献】
【特許文献】
【０００４】
【特許文献１】特開２０１０−２３６２０３号公報
【発明の概要】
【発明が解決しようとする課題】
【０００５】
しかし、特許文献１の便器排水路は、便器洗浄の初期段階において、便器排水路の頂部を越流する洗浄水の流量が少ないと、下降流路を形成する上昇流路側の内壁面に沿って洗浄水が流れ落ちる。この状況下では、屈曲流路の平坦な下面に洗浄水が衝突しても良好に跳ね上がらず、水膜を形成し難い。つまり、この便器排水路は、便器排水路の頂部を勢いよく越流して下降流路を形成する上昇流路側の内壁面から剥がれ落ちる状態に洗浄水の流量が多くなるまでは、水膜の形成が不十分であり、サイホン作用が発生しない。このように、この便器排水路は、便器洗浄を開始してから水膜が形成されるまでに時間を要し、便器洗浄の初期段階に便器排水路を流れる洗浄水が水膜形成に関与せずに便器排水路から排出される。
【０００６】
また、この便器排水路は、屈曲流路を形成する下側の内壁面を平坦に形成しているので、サイホン作用が発生した後に便器排水路を流れる洗浄水のほとんどがこの平坦な内壁面に衝突して流れ方向を変更し、さらに屈曲流路を形成する上側の内壁面又は横引き流路を形成する上側の内壁面に衝突して下流側に流れる。このため、屈曲流路内で洗浄水の流れが乱れ、横引き流路の排出方向へ向けた洗浄水の水勢が弱くなり、汚物等を良好に排出できないおそれがある。
【０００７】
本発明は、上記従来の実情に鑑みてなされたものであって、少ない洗浄水でサイホン作用を発生し、汚物等を良好に排出することができる便器排水路を提供することを解決すべき課題としている。
【課題を解決するための手段】
【０００８】
本発明の便器排水路は、水洗式便器の便鉢部の下部に連通して上方に延びる上昇流路の下流側に連通した便器排水路であって、
前記上昇流路の下流側に連続して下方に延びる下降流路と、
この下降流路の下流側に連続しており、流路方向を下向きから横向きに変更する屈曲流路と、
この屈曲流路の下流側に連続して横方向に延びる横引き流路と、
前記屈曲流路を形成する下側の内壁面又は前記横引き流路を形成する下側の内壁面に設け、衝突した洗浄水が飛散して水膜を形成する段部とを備えていることを特徴とする。
【０００９】
この便器排水路は、屈曲流路を形成する下側の内壁面又は横引き流路を形成する下側の内壁面に設けた段部に衝突した洗浄水が飛散して水膜を形成する。この水膜によって、便器排水路を封鎖し、便器排水路にサイホン作用を発生させることができる。この便器排水路は、便器洗浄の初期段階（流量が少なく、下降流路を形成する上昇流路側の内壁面及び屈曲流路を形成する下側の内壁面に沿って洗浄水が流れる状況）から洗浄水が段部に衝突して飛散し、便器排水路を封鎖する水膜を形成することができる。このため、この便器排水路は便器洗浄を開始すると早期にサイホン作用を発生することができる。
【００１０】
また、この便器排水路は、サイホン作用が発生した後に便器排水路を流れる洗浄水の一部が段部に衝突するのみであって、多くの洗浄水は段部に衝突せずに段部の下流側へ流れる。このため、屈曲流路内又は横引き流路内で洗浄水の流れの乱れは少なく、屈曲流路及び横引き流路内を洗浄水が勢いよく流れることができる。
【００１１】
したがって、本発明の便器排水路は、少ない洗浄水でサイホン作用を発生し、汚物等を良好に排出することができる。
【図面の簡単な説明】
【００１２】
【図１】実施例１の便器排水路を備えた便器本体の断面図である。
【図２】実施例１の便器排水路の断面図である。
【図３】図１の矢視Ｘ−Ｘ断面である。
【図４】図１の矢視Ｙ−Ｙ断面である。
【図５】実施例２の便器排水路の断面図である。
【発明を実施するための形態】
【００１３】
本発明における好ましい実施の形態を説明する。
【００１４】
本発明の便器排水路において、前記屈曲流路を形成する下側の内壁面は円弧形状であり得る。この場合、屈曲流路は、流路方向が下向きから横向きに変更しており、下流側に近づくほど、下側の内壁面の傾斜が緩やかになる。屈曲流路は、下側の内壁面の傾斜が緩やかになればなるほど、その中央部がその両側に比べて低い位置になる。このため、屈曲流路に流入した洗浄水は、下側の内壁面の中央部に集まりながら、下流側に流れる。よって、便器洗浄の初期段階で屈曲流路に流入する洗浄水の流量が少なくても、洗浄水が下側の内壁面の中央部に集まって勢いよく流れ、段部に衝突する。このため、洗浄水が良好に飛散して水膜を形成することができる。このように、この便器排水路は、便器洗浄の開始後、早期に少ない洗浄水でサイホン作用を発生することができる。
【００１５】
本発明の便器排水路において、前記屈曲流路は、この屈曲流路を形成する下側の内壁面に沿って洗浄水が流れるように、この内壁面が流路方向になだらかに湾曲し得る。この場合、屈曲流路を形成する下側の内壁面をスムーズに洗浄水が流れて段部に衝突する。このため、洗浄水が良好に飛散して水膜を形成することができる。このように、この便器排水路は、便器洗浄の開始後、早期に少ない洗浄水でサイホン作用を発生することができる。
【００１６】
本発明の便器排水路において、前記段部は前記横引き流路を形成する下側の内壁面を凹ませて形成し得る。この場合、便器排水路は、流路面積が狭くなりすぎず、サイホン作用が発生した後、便器排水路を洗浄水がスムーズに流れて汚物等を良好に排出することができる。
【００１７】
本発明の便器排水路において、前記段部は前記横引き流路を形成する下側の内壁面又は屈曲流路を形成する下側の内壁面を突出させて形成し得る。この場合、便器排水路の外側面が外側に膨らまずに段部を形成することができる。
【００１８】
本発明の便器排水路は、前記屈曲流路と前記横引き流路との境界部を形成する上側の内壁面が下方に突出して流路を絞った絞り部を備えており、この絞り部の下流側に前記段部を形成し得る。この場合、絞り部の下流側で水膜を形成し、この水膜と絞り部との相乗効果によりサイホン作用を確実に発生させることができる。
【００１９】
次に、本発明の便器排水路を具体化した実施例１及び２について、図面を参照しつつ説明する。
【００２０】
＜実施例１＞
実施例１の便器排水路２０は、図１に示すように、水洗式便器の便鉢部１１の下部に連通して上方に延びる上昇流路１２の下流側に連通している。便鉢部１１、上昇流路１２、及び便器排水路２０は陶器製であり、一体に形成されており、水洗式便器の便器本体１０の主要部を構成している。便器本体１０は上面後部に洗浄タンクを載置する載置部１３を有している。水洗式便器はこの載置部１３に載置して固定される図示しない洗浄タンクを備えている。
【００２１】
便鉢部１１は上部周縁にリム通水路１４を形成している。水洗式便器は、便器洗浄を実行すると、洗浄タンクに貯留した洗浄水が便鉢部１１のリム通水路１４に流出する。リム通水路１４に流出した洗浄水は、リム通水路１４を一方向に流れながら、徐々に便鉢部１１の表面に流れ落ちる。このため、洗浄水は、便鉢部１１の平面視において、便鉢部１１の表面を一方向に旋回しながら流下し、上昇流路１２に流れ込む。上昇流路１２は便器本体１０の後方（図１において左側）に向けて斜め上方に上昇している。
【００２２】
便器排水路２０は、下降流路２１、屈曲流路２２、及び横引き流路２３を備えている。下降流路２１は上昇流路１２の下流側に連続して略鉛直下方に延びている。便器本体１０は、上昇流路１２と下降流路２１とが連続している部分において、上部から後方に延びて形成した空洞部１５を有している。下降流路２１は、図２に示すように、下降流路２１を形成する後側の内壁面２１Ｂが後方に大きく湾曲し始める点Ｖの高さまで延びている。
【００２３】
屈曲流路２２は、下降流路２１に下流側に連続しており、流路方向を下向きから横向きに変更している。この屈曲流路２２は下降流路２１を形成する後側の内壁面２１Ｂから連続して屈曲流路２２を形成する上側の内壁面２２Ｕ及び横引き流路２３を形成する上側の内壁面２３Ｕの最下端Ｗを通る鉛直面Ｅで水平方向に開口した下流端を有している。この最下端Ｗの近傍は屈曲流路２２と横引き流路２３との境界部を形成する上側の内壁面であり、この部分が下方に突出して流路を絞った絞り部２４を形成している。
【００２４】
屈曲流路２２は、図３に示すように、屈曲流路２２を形成する下側の内壁面２２Ｄが円弧形状に形成されている。また、屈曲流路２２は、図１及び図２に示すように、屈曲流路２２を形成する下側の内壁面２２Ｄに沿って洗浄水が流れるように、この内壁面２２Ｄが流路方向になだらかに湾曲している。
【００２５】
横引き流路２３は、横方向に延び、水平方向に開口した排出口２５を下流端に形成している。横引き流路２３を形成する上側の内壁面２３Ｕは、屈曲流路２２の下流端から後方に向けた斜め上方に延びた部分２３Ａと、その下流側に略水平方向に後方に延びた部分２３Ｂとから構成されている。横引き流路２３を形成する下側の内壁面２３Ｄは、絞り部２４の下流側であって、上側の内壁面２３Ｕが斜め上方に延びた部分２３Ａの下方に段部２６を形成しいている。この段部２６は、図１、図２、及び図４に示すように、横引き流路２３を形成する下側の内壁面２３Ｄを凹ませ、略鉛直に立ち上がった立ち上がり面２６Ａを有している。つまり、図２に示すように、横引き流路２３を形成する下側の内壁面２３Ｄは、屈曲流路２２を形成している下側の内壁面２２Ｄの下流端２２Ａから段部２６の上面に向けて延びた仮想直線Ｓよりも凹んでいる。
【００２６】
次に、水洗式便器が便器洗浄を実行した際の便器排水路２０の洗浄水の流れ方を説明する。
【００２７】
この水洗式便器は、便器洗浄を開始すると、便器排水路２０の頂部Ｔを越流した洗浄水が、便器排水路２０の下降流路２１に流入する。便器洗浄の初期段階は、流量が少なく、下降流路２１を形成する前側の内壁面２１Ａ及び屈曲流路２２を形成する下側の内壁面２２Ｄに沿って洗浄水が流れる。
【００２８】
この状況で、この便器排水路２０は、屈曲流路２２を形成する下側の内壁面２２Ｄが円弧形状であるため、洗浄水が下側の内壁面２２Ｄの中央部に集まりながら、下流側に流れる。このため、この便器排水路２０は、便器洗浄の初期段階で屈曲流路２２に流入する洗浄水の流量が少なくても、洗浄水が下側の内壁面２２Ｄの中央部に集まって勢いよく流れ、段部２６の立ち上がり面２６Ａに衝突する。また、この便器排水路２０は、屈曲流路２２を形成する下側の内壁面２２Ｄに沿って洗浄水が流れるように、この内壁面２２Ｄが流路方向になだらかに湾曲しているため、屈曲流路２２を形成する下側の内壁面２２Ｄをスムーズに洗浄水が流れて段部２６の立ち上がり面２６Ａに衝突する。
【００２９】
そして、段部２６の立ち上がり面２６Ａに衝突した洗浄水が飛散して（図２の矢印Ｈ方向）、水膜を形成する。このように、この便器排水路２０は、便器洗浄の開始後、早期に少ない洗浄水でサイホン作用を発生することができる。さらに、絞り部２４より下流側に段部２６を形成しているため、絞り部２４の下流側で水膜を形成し、この水膜と絞り部２４との相乗効果によりサイホン作用を確実に発生させることができる。
【００３０】
また、この便器排水路２０は、サイホン作用が発生した後に便器排水路２０を流れる洗浄水の一部が段部２６の立ち上がり面２６Ａに衝突するのみであって、多くの洗浄水は段部２６の立ち上がり面２６Ａに衝突せずに段部２６の下流側へ流れる。このため、横引き流路２３内で洗浄水の流れの乱れは少なく、横引き流路２３を洗浄水が勢いよく流れることができる。さらに、この便器排水路２０は、横引き流路２３を形成する下側の内壁面２３Ｄを凹ませて段部２６を形成しているため、流路面積が狭くなりすぎず、サイホン作用が発生した後、便器排水路２０を洗浄水がスムーズに流れる。
【００３１】
したがって、実施例１の便器排水路２０は、少ない洗浄水でサイホン作用を発生し、汚物等を良好に排出することができる。
【００３２】
＜実施例２＞
実施例２の便器排水路１２０は、図５に示すように、段部１２６を屈曲流路１２２を形成する下側の内壁面１２２Ｄに形成し、横引き流路１２３を形成する下側の内壁面１２３Ｄに形成していない点で実施例１と相違する。実施例１と同様な構成は同一の符号を付し、詳細な説明を省略する。
【００３３】
この段部１２６は、絞り部２４の上流側であって、屈曲流路１２２を形成する下側の内壁面１２２Ｄを突出させて形成している。この段部１２６は、下側の内壁面１２２Ｄに対して略垂直に立ち上がった立ち上がり面１２６Ａを有している。このため、便器排水路の外側面が外側に膨らまずに段部を形成することができる。
【００３４】
この便器排水路１２０も、屈曲流路１２２を形成する下側の内壁面１２２Ｄが円弧形状であるため、洗浄水が下側の内壁面１２２Ｄの中央部に集まりながら、下流側に流れる。このため、この便器排水路１２０は、便器洗浄の初期段階で屈曲流路１２２に流入する洗浄水の流量が少なくても、洗浄水が下側の内壁面１２２Ｄの中央部に集まって勢いよく流れ、段部１２６の立ち上がり面１２６Ａに衝突する。また、この便器排水路１２０も、屈曲流路１２２を形成する下側の内壁面１２２Ｄに沿って洗浄水が流れるように、この内壁面１２２Ｄが流路方向になだらかに湾曲しているため、屈曲流路１２２を形成する下側の内壁面１２２Ｄをスムーズに洗浄水が流れて段部１２６の立ち上がり面１２６Ａに衝突する。
【００３５】
そして、段部１２６の立ち上がり面１２６Ａに衝突した洗浄水が飛散して（図５の矢印Ｈ方向）、水膜を形成する。このように、この便器排水路１２０も、便器洗浄の開始後、早期に少ない洗浄水でサイホン作用を発生することができる。
【００３６】
また、この便器排水路１２０も、サイホン作用が発生した後に便器排水路１２０を流れる洗浄水の一部が段部１２６の立ち上がり面１２６Ａに衝突するのみであって、多くの洗浄水は段部１２６の立ち上がり面１２６Ａに衝突せずに段部１２６の下流側へ流れる。このため、屈曲流路１２２内で洗浄水の流れの乱れは少なく、屈曲流路１２２を洗浄水が勢いよく流れることができる。
【００３７】
したがって、実施例２の便器排水路１２０も、少ない洗浄水でサイホン作用を発生し、汚物等を良好に排出することができる。
【００３８】
本発明は上記記述及び図面によって説明した実施例１及び２に限定されるものではなく、例えば次のような実施例も本発明の技術的範囲に含まれる。
（１）実施例１及び２では、屈曲流路を形成する下側の内壁面が円弧形状であったが、円弧形状でなくてもよい。
（２）実施例１では、段部を横引き流路を形成する下側の内壁面を凹ませて形成したが、内壁面を突出して形成してもよい。
（３）実施例１及び２では、絞り部を有していたが、絞り部を有さなくてもよい。
（４）実施例１及び２では、上昇流路の下流側に連続して便器排水路を一体に形成したが、便器排水路を上昇流路とは別体に形成し、上昇流路の下流側に接続してもよい。
【符号の説明】
【００３９】
１１…便鉢部
１２…上昇流路
２０、１２０…便器排水路
２１…下降流路
２２、１２２…屈曲流路
２２Ｄ、１２２Ｄ…（屈曲流路を形成する）下側の内壁面
２３、１２３…横引き流路
２３Ｄ…（横引き流路を形成する）下側の内壁面
２４…絞り部
２６、１２６…段部
【図１】
2014095206.tif 000003
【図２】
2014095206.tif 000004
【図３】
2014095206.tif 000005
【図４】
2014095206.tif 000006
【図５】
2014095206.tif 000007